(57)【要約】使い捨てカッティング・ヘッド（１）は、基本的にベース（２）、上下のカッティング・ブレード（９，１５）及びスプリング（２３）の４つの素子を一緒に組立てた集合体である。ベース（２）は、集合体の全体を支えるもので、刈取り器（６）に取付けるための取付け素子を含む。スプリング（２３）は、これらの素子を一緒に保持し、上下のカッティング・ブレード（９，１５）を互いに押し付け、上側のブレード（１５）がその下を滑るランナー（２８）を有する。このブレード付きヘッド集合体は、全体を使い捨てにするものであるが、ブレードには金属を使用する。希望により、ブレードだけを使い捨てにし、ヘッド集合体を再使用してもよい。しかし、その構造は、長期間の使用を意図するものではない。そのヘッド及びブレードは、既存の着脱可能な使い捨てのヘッド及びブレードに関する共通の問題、例えばブレード及びヘッドが熱を持つことや毛をつかんで引っぱること等を可及的に小さくするように構成する。刈取り器の梳き櫛素子を取付けて使用することもできる。
2004501695.tif 000002
【特許請求の範囲】
【請求項１】
刈取り器に用いる使い捨てカッティング・ヘッドであって、
ベース部材、下側カッティング・ブレード、上側カッティング・ブレード、下側ブレード支持部及びスプリング部材を具え、
前記ベース部材は、直立する中央ブリッジをもつ取付け部と、着脱可能に刈取り器と堅く係合する手段と、該取付け部の前方に設けられた下側ブレード支持部とを含み、
前記下側ブレード支持部は、その長手方向に沿って伸びる凹部内に複数のポストを有し、
前記下側カッティング・ブレードは、その前縁に複数の下側の歯を有すると共に、前記下側ブレード支持部の中に組込むための凹部及び前記ポストを受ける複数の穴を有し、
前記下側の歯は、複数のぎざぎざで形成され、
前記上側カッティング・ブレードは、その前縁に複数の上側の歯を有すると共に、その長手方向に沿って伸びる溝をもつ凹部及び前記刈取り器によって駆動される係合手段を有し、
前記上側カッティング・ブレードは、使い捨てカッティング・ヘッドを組立てたとき、前記下側カッティング・ブレードと対向して接触し、これら上側及び下側カッティング・ブレードは、前記の歯と平行に長手方向に沿って互いにやや凹んだ形状に作られ、
前記スプリング部材は、前記ベース部材に取付け手段を介して取付けられ、組立てられた際に前記上側カッティング・ブレードを前記下側カッティング・ブレードに対し前記溝内をランナーで長手方向にスライドするように支える
ようにした使い捨てカッティング・ヘッド。
【請求項２】
前記上側の歯は複数のぎざぎざが形成された請求項１の使い捨てカッティング・ヘッド。
【請求項３】
前記下側カッティング・ブレードは、凹部に複数のリブを有する請求項１の使い捨てカッティング・ヘッド。
【請求項４】
前記上側カッティング・ブレードの駆動係合手段は、大きな凹所をもつ後縁であり、その２つの端縁に１対のシューが形成された請求項１の使い捨てカッティング・ヘッド。
【請求項５】
各シューは、刈取り器駆動ラグとの接触面に丸い端縁を有する請求項４の使い捨てカッティング・ヘッド。
【請求項６】
前記下側カッティング・ブレード及び上側カッティング・ブレードは、エッジがぎざぎざの前記下側の歯及び上側の歯で作られ、これらは、組立てたとき対向する下側及び上側カッティング・ブレードの方向に向くように製造過程で作られる請求項１の使い捨てカッティング・ヘッド。
【請求項７】
前記下側ブレード支持部の支持前縁は、前記下側の歯の下で突出しない請求項１の使い捨てカッティング・ヘッド。
【請求項８】
前記スプリング部材の取付け手段は、１対の穴をもつベースを含み、前記スプリング部材は、１対の対向アームの上部に１対の穴を有すると共に該対向アームの下部に１対のネジ穴を有し、１対のネジが前記対向アームの上部及び前記ベースを通過して前記ネジ穴と係合する請求項１の使い捨てカッティング・ヘッド。
【請求項９】
前記スプリング部材の取付け手段は、下側に１対の取付けポストをもつベースを含み、前記スプリング部材は、１対の対向アームの下部に１対の穴を有し、前記取付けポストは前記の穴を通過する請求項１の使い捨てカッティング・ヘッド。
【請求項１０】
前記ベースの後縁は丸められたコーナーを有する請求項１の使い捨てカッティング・ヘッド。
【請求項１１】
デフレクタ・プレートが刈取り器の空洞を一部おおうように前記スプリング部材に取付けられた請求項１の使い捨てカッティング・ヘッド。
【請求項１２】
前記上側カッティング・ブレードは、放熱孔を有する請求項１の使い捨てカッティング・ヘッド。
【請求項１３】
前記上側カッティング・ブレードは、固定孔を有する請求項１の使い捨てカッティング・ヘッド。
【請求項１４】
前記ベース部材は、夫々に突出部をもつ１対の取付けラグを有する請求項１の使い捨てカッティング・ヘッド。
【請求項１５】
前記ベース部材は、複数の突起をもつ取付けキャビティを有する請求項１の使い捨てカッティング・ヘッド。
【請求項１６】
前記ベース部材は、その底面で摺動可能に係合するプレートを有し、該プレートは前記ベース部材の後方に延長部を有し、
前記ベース部材にキャビティが形成され、その中にスプリングが挿入され、
前記プレートは、前記スプリングと係合するスプリング・タブを有し、
前記プレートを前記スプリングの力に抗して押圧する手段を具えた請求項１の使い捨てカッティング・ヘッド。
【請求項１７】
前記の押圧手段は、前記プレートに取付けられた押しタブである請求項１６の使い捨てカッティング・ヘッド。
【請求項１８】
前記押しタブを押圧するために道具を使用する請求項１７の使い捨てカッティング・ヘッド。
【請求項１９】
前記摺動可能な係合手段は、スライド孔をもつプレートであり、リベットが該スライド孔を介して該プレートを前記ベース要素に取付ける請求項１６の使い捨てカッティング・ヘッド。
【請求項２０】
刈取り器のカッティング・ヘッドに取付ける梳き櫛素子であって、
その前縁に複数の梳き歯を有し、該梳き歯は、カッティング・ヘッドの複数の上側の歯の前縁と係合するための切込み溝を有する支持ベース要素と、
前記梳き歯と反対側の、前記支持ベース要素の後縁に取付けられたスプリング・クリップと
を具えた梳き櫛素子。
【請求項２１】
前記梳き歯が低摩擦物質でコーティングされた請求項２０の梳き櫛素子。
【請求項２２】
前記ベースの前縁が取付けタブを有し、ベース部材の支持前縁が該取付けタブと係合するための取付けノッチを有する請求項２０の梳き櫛素子。
【請求項２３】
刈取り器のカッティング・ヘッドに取付ける梳き櫛素子であって、
その前縁に複数の梳き歯を有し、該梳き歯は、カッティング・ヘッドの複数の上側の歯の前縁と係合するための切込み溝を有する支持ベース要素と、
前記梳き歯と反対側の、前記支持ベース要素の後縁に取付けられ、前記カッティング・ヘッドと係合するためのスロットを有するバックプレートと、
前記梳き歯と前記バックプレートの間に取付けられた２つの側方要素と
を具えた梳き櫛素子。
【請求項２４】
前記梳き歯が低摩擦物質でコーティングされた請求項２３の梳き櫛素子。
【請求項２５】
前記バック・プレートが前記スロットの上方でテーパーを付けられた請求項２３の梳き櫛素子。
【請求項２６】
前記ベースの前縁に取付けタブを設け、ベース部材の支持前縁に該取付けタブと係合するための取付けノッチを設けた請求項２３の梳き櫛素子。
【請求項２７】
上側カッティング・ブレードと下側カッティング・ブレードとをスプリング部材で取付ける装置であって、
直立するブリッジを有する取付け部をもつベース部材と、
該取付け部の前方に設けられた下側ブレード支持部と、
刈取り器と着脱可能に堅く係合させるための手段と
を具えた前記取付け装置。
【請求項２８】
前記の着脱可能に係合させる手段は、取付けキャビティ及び１対の取付けラグをもつ直立するブリッジである請求項２７の装置。
【請求項２９】
各取付けラグは、その内面に突起を有する請求項２８の装置。
【請求項３０】
前記取付けキャビティは、その中に複数の突起を有する請求項２８の装置。
【請求項３１】
刈取り器のカッティング・ヘッド用の放熱装置であって、複数のカッティング用の歯がその上に形成され、該カッティング用の歯はその中にぎざぎざが形成された放熱装置。
【請求項３２】
放熱孔をもつ上側カッティング・ブレードを有する刈取り器カッティング・ヘッドのための放熱構体。
【請求項３３】
刈取り器カッティング・ヘッドに取付ける梳き櫛素子であって、
その前縁に複数の梳き歯を有し、該梳き歯は、カッティング・ヘッドの複数の上側の歯の前縁と係合するための切込み溝を有する支持ベース要素と、
前記梳き歯と反対側の、前記支持ベース要素の後縁に取付けられた強化手段と、前記カッティング・ヘッドと係合する手段とをもつバック・プレートと
を具えた梳き櫛素子。
【請求項３４】
前記梳き歯が低摩擦物質でコーティングされた請求項３３の梳き櫛素子。
【請求項３５】
前記ベースの前縁が取付けタブを有し、ベース部材の支持前縁が該取付けタブと係合するための取付けノッチを有する請求項３３の梳き櫛素子。
【請求項３６】
刈取り器と共に使用する使い捨てカッティング・ヘッドであって、
ベース・カッティング・ブレード、上側カッティング・ブレード及びスプリング部材を具え、
前記ベース・カッティング・ブレードは、直立する中央ブリッジがこれに取付けられ、着脱可能に刈取り器と堅く係合する手段を有すると共に、その前縁に複数の下側の歯を有し、
前記上側カッティング・ブレードは、その前縁に複数の上側の歯を有すると共に、その長手方向に沿って伸びる溝をもつ凹部及び前記刈取り器によって駆動される係合手段を有し、
前記上側カッティング・ブレードは、使い捨てカッティング・ヘッドを組立てたとき、前記ベース・カッティング・ブレードと対向して接触し、これら上側カッティング・ブレード及びベース・カッティング・ブレードは、前記の歯と平行に長手方向に沿って互いにやや凹んだ形状に作られ、
前記スプリング部材は、前記ベース・カッティング・ブレードに取付け手段を介して取付けられ、組立てられた際に前記上側カッティング・ブレードを前記ベース・カッティング・ブレードに対し前記溝内をランナーで長手方向にスライドするように支える
ようにした使い捨てカッティング・ヘッド。
【請求項３７】
前記上側の歯は複数のぎざぎざが形成された請求項３６の使い捨てカッティング・ヘッド。
【請求項３８】
梳き櫛素子を取付ける手段を有する請求項３６の使い捨てカッティング・ヘッド。
【発明の詳細な説明】
【０００１】
本発明は、人間及び動物の毛髪や柔毛などを切ったり、刈り取ったりするのに使用する器具に関するものである。この新しい器具は、刃を含む使い捨てカッティング・ヘッドであって、他の物に比べて鋭いカッティング器械の維持を簡単化できる経済的なものである。
【０００２】
現在、毛髪や柔毛を刈り取ったり、切ったり、刈り込んだりするのに多様な器具が使用されている。これらは、一般にヘア・クリッパー又は単にクリッパー（刈取り器）として知られ、最近では大抵の場合電気モータによって動力が供給されている。最初に開発されたクリッパーは、ブレード（刃）をクリッパーのヘッド（頭部）から取り外して研（と）ぎ、クリッパー器具のカッティング性能を維持するように意図されたものであった。このようなブレードは、ネジなどでクリッパー・ヘッドに取り付けるか、或いはクリップ、クランプその他の保持手段でクリッパーに取り付けていた。
【０００３】
もっと最近のクリッパーには、ブレードを絶えず研ぐのではなく取り外して捨てるように意図された着脱可能なブレードを含むヘッドが組込まれている。１９５５年１１月８日に付与された米国特許第２，７２２，７４２号は、このような器具の一例を示す。また、使い捨て可能なクリッパー・ヘッド集合体をクリッパーと共に使用することも考えられた。クリッパー用のプラスチック使い捨てヘッド集合体の一例は、１９８６年１月１４日に付与された米国特許第４，５６３，８１４号に示されている。
【０００４】
本発明は、使い捨てのブレードをもつクリッパー・ヘッドの集合体の構造を改良したものである。このブレード付きヘッド集合体は、全体を使い捨てにするものであるが、ブレードには金属を使用している。希望によっては、ブレードだけを使い捨てにし、ヘッド集合体を再使用してもよい。しかし、その構造は、長期間の使用を意図するものではない。そのヘッド及びブレードは、既存の着脱可能な使い捨てのヘッド及びブレードに関する共通の問題、例えばブレード及びヘッドが熱を持つことや毛をつかんで引っぱること等を可及的に小さくするように構成する。
【０００５】
本発明のベース（基底）部材の支持前縁は、カッティング・ブレードのどの部分よりも下にある梳（す）き櫛の歯（ｃｏｍｂ　ｔｅｅｔｈ）のような構造をもたない。この梳き櫛の歯は、例えば１９８２年５月１１日に付与された米国特許第４，３２８，６１６号に示されるように、毛をつかんで引っぱる可能性がある。カッティング・ブレードの歯の下にある梳き櫛の歯は、２つの歯が接触しないとき、毛をつかんで引っぱるであろう。更に、本発明の両方のブレードは、ブレードの長手方向全体にわたって互いにやや凹んだ形状を呈し、ブレードがねじれて互いに離れるために毛がつかまって引っぱられる傾向に対処すると共に、他の問題にも対処している。１９８８年８月２３日に付与された米国特許第４，７６５，０６０号は、長手軸に沿って連続した凹面形状がないために離間するという問題を起こす可能性のある、ブレード端における曲がりを開示している。
【０００６】
本発明のブレードの歯の中にぎざぎざがあり、熱の蓄積をできるだけ少なくすると共に、歯の構造を強化している。これは、歯の縁壁に切欠を設ける必要なしに達成でき、例えば、羊毛刈取り器のブレードに行って柔軟性を与えることができる。このような切欠は、潤滑油の損失を招くと共に、毛をつかんで引っぱる場所ともなる。概していえば、この新しい構造は、カッティング能率を高め、毛を刈り取られている対象体への熱の伝導を最少限度とする。この使い捨て方式は、カッティング能率が向上した性能を達成させ、既存のスナップ式梳き櫛取付け器具と共に使用できるように構成される。
【０００７】
本発明の目的の１つは、カッティング・ヘッドとブレードを組合わせたものにおいて摩擦が減少し熱の放散が改善された、クリッパー用の使い捨てカッティング・ヘッドの構造を改良することである。もう１つの目的は、カッティングに使用中、ヘッド及び／又はブレードの曲がりを減らして、毛がカッティング・ブレードの間に挟まって毛が引っぱられるのをできるだけ少なくし、毛がきれいにカットされるようにすることである。他の目的は、既存の梳き櫛上のクリップと共に使用できる使い捨てのヘッド及びブレードを設計することである。更に他の目的は、スプリング・ロック梳き櫛と共に使用されるようカッティング・ヘッドを改良することである。更に他の目的は、クリッパー駆動ラグの摩擦による摩耗を減らす上側カッティング・ブレードのシュー（ｓｈｏｅ）構造を提案することである。クリッパー駆動ラグ（ｌｕｇ）は、クリッパーの往復駆動動作時に上側ブレードのシューが係合するもので、通常プラスチック材より成る。別の目的は、カッティング操作中に入り込む毛髪や柔毛の量を減らすため、カッティング・ヘッドを受けるクリッパー・キャビティ（空洞）を遮蔽することである。なお別の目的は、クリッパーのブレード・ソケット取付け装置の種々のサイズに適合させるため、ベース部材に突起を組込むことである。
【０００８】
本明細書で述べる説明及び図面を吟味すれば、本発明のその他の目的も明らかになるであろう。
【０００９】
使い捨てカッティング・ヘッドは、基本的にはベース、上下のカッティング・ブレード及びスプリングの４つの要素を一緒に組立てた集合体である。ベースは、集合体の全体を支えるもので、クリッパーに取付けるための取付け要素を含んでいる。スプリングは、これらの要素を一緒に保持し、上下のカッティング・ブレードを互いに押しつけ、上側のブレードがその下を滑るランナーを有する。梳き素子の取付け具が含まれることもある。他の実施形態では、スプリングの代わりにネジ取付け手段を用い、梳き櫛の保持にスプリング・ロックを用いる。スプリング・ロック保持手段と共に使用するプラスチックの梳き櫛が組込まれる。毛髪がクリッパー・キャビティに入るのを防ぐため、スプリング構体にデフレクタ・プレート（偏向板）を加えてもよい。
【００１０】
図１〜図１５において、使い捨てカッティング・ヘッド（１）は、後方に取付け部（３）をもつベース部材（２）と、下側ブレード支持部（４）とを有する。後方の取付け部（３）は、クリッパー（６）への取付けラグ（７）をもつ、直立した中央ブリッジ（５）を有する。下側ブレード支持部（４）は、下側のカッティング・ブレード（９）を保持するためのポスト（柱）（８）を有する。下側ブレード支持部（４）の支持前縁（３７）は、下側カッティング・ブレード（９）の下側の歯（１３）の下に突出するほど伸びていない。このように構成すると、カッティング時にブレード支持部分が支持ベース上で毛をつかんで引っぱりやすいという既存のカッティング・ヘッドに関する問題を軽減できる。
【００１１】
下側カッティング・ブレード（９）は、穴（１４）を受けるポスト（８）により下側ブレード支持部（４）に配置される。ポスト（８）は、下側カッティング・ブレード（９）が下側ブレード支持部（４）に対して水平方向に動くのを阻止するが、下側カッティング・ブレード（９）の垂直方向の動きは可能とする。こうすると、例えば、加熱によりブレードが曲がったり、たわんだりするような状況下で、上側カッティング・ブレード（１５）との接触を維持する垂直方向の「フローティング（浮き）」状態が得られる。ポスト（８）及び穴（１４）はまた、ブレードの取替えを容易にすると共に、他のカッティング・ヘッドに恒久的な取付け方法で所定の場所に固定するときのように、ブレードの凹面状わん曲を平坦にしない。
【００１２】
下側カッティング・ブレード（９）は、一般に平坦な長方形を呈し、ブレードの長手方向に沿った凹部（１０）を有する。この凹部（１０）にリブ（１１）を設け、構造を強化し、熱の蓄積をできるだけ少なくする。下側カッティング・ブレード（９）はまた、下側の歯に形成したぎざぎざ（１２）又はしわを有し、スライド時の面摩擦を減らし熱の蓄積を抑えると共に、潤滑剤の流れをよくし、構造を強くする。
【００１３】
下側カッティング・ブレード（９）は、穴（１４）を受けるポスト（８）により下側ブレード支持部（４）に配置される。上側カッティング・ブレード（１５）は、上側の歯（１６）と平行な下側の歯（１３）をもつ下側カッティング・ブレード（９）の上をスライドするように配置される。動作時、上側カッティング・ブレード（１５）は、固定された下側カッティング・ブレード（９）に対し長手方向にスライドする。
【００１４】
上側カッティング・ブレード（１５）は、一般に平坦な長方形状を呈し、ブレードの長手方向に沿った凹部（１７）を有する。この凹部は、図２に示すように、横から見て上方にわん曲した形状になるようにスタンピング処理により形成される。その前方部分に複数個の上側の歯（１６）が形成され、それに下側の歯（１３）と同様なぎざぎざ（１２）を設けてもよい。歯の付いた前縁から離れてこれと平行に溝（１８）がある。
【００１５】
上側カッティング・ブレード（１５）の後縁（１９）には、クリッパー（６）の駆動ラグ（２１）又は他の駆動素子を受けるように適合された大きな凹み（２０）がある。この大きな凹み（２０）には、１対のシュー（２２）が形成され、下側カッティング・ブレード（９）を横切って上側カッティング・ブレード（１５）を往復スライド運動させるクリッパー駆動ラグ（２１）の往復動作によって生じる摩耗を減らすようにしてある。シュー（２２）は、駆動ラグ（２１）の摩耗を減らすために、そのエッジ（端縁）を丸くするのがよい。ただし、図５Ａに示すような、適当にわん曲させたシュー・ラグ（４０）を用いてもよい。
【００１６】
スプリング部材（２３）は、一般に対向するアーム（２４）をもつスチールなどのＵ字状要素である。対向アーム（２４）は、ベース部材（２）の取付け部（３）の後縁（２５）に適合する形状とされ、取付けポスト（２７）と係合するアーム孔（２６）によってベース部材（２）に保持される。対向アーム（２４）は、ベース部材（２）から上方に向かって曲がり、上側カッティング・ブレード（１５）の上をアーチ状に前方へ突出し、下方に向かい長い横方向のランナー（２８）となって終わり、該ランナーは上側カッティング・ブレード（１５）の溝（１８）と係合する。ランナー（２８）は、溝（１８）とのスライド運動を容易にするため、プラスチックでコーティングされた面、スリーブ面などをもつのがよい。
【００１７】
スプリング部材（２３）はまた、ネジ取付け法によってベース部材（２）に保持してもよい。図３にその一例を示す。同図において、上記ポスト（２７）は穴（４７）に変わり、アーム孔（２６）はネジ（４８）を受けるネジ穴（４６）となっている。また、穴（４５）が設けられ、対向アーム（２４）の上部をネジ（４８）が通過するようになっている。ネジ（４８）を介してスプリング部材（２３）を取付けると、スプリング部材（２３）を着脱可能に取付けるときの堅さを調節することができる。それにより、細い又は薄い毛をカットするとき、張力をゆるめて摩擦及び熱によるブレードの摩耗を減らすことができる。逆に、太い又は密集した毛をカットするときには、張力を増すことができる。
【００１８】
スプリング部材（２３）はまた、図３Ａ及び図１２Ａに最もよく示されているように、カッティング操作時にクリッパー・キャビティ（４１）の中に毛髪や柔毛が入るのを阻止するための延長されたプレート要素又はデフレクタ・プレート（５５）を具えてもよい。
【００１９】
好適な実施形態では、下側カッティング・ブレード（９）及び上側カッティング・ブレード（１５）は、その長手方向に沿いカッティングする歯（１３，１６）（図４及び８参照）の列に平行な面内において互いにやや凹んだ形状を呈するように作られる。こうすると、使用中に摺動摩擦により熱が蓄積されたとき、カッティング・ブレードが曲がり、その端部（２９，３０）から内側に向かって互いに部分的に離れやすくなるのを抑える効果がある。この曲がりは、製造時及び使用中の両方で発生しうる。上側カッティング・ブレード（１５）は更に、おおむね長方形の開口部を放熱孔（７０）として形成し、熱の放散が容易になるように改変してもよい。
【００２０】
上下のブレード（９，１５）は、プレス、カット及び／又はパンチングによって製造できる。製造時、カッティング工具のブレード側にぎざぎざのエッジ（端縁）がある。好適な実施形態の場合、かみ合うぎざぎざのエッジは、一番上のエッジ、即ちブレード間のエッジである。よって、ブレードは、かみ合うエッジを機械で滑らかにしさえすればよく、ぎざぎざのエッジは毛のカッティングを助けるが、対象体の皮膚に当たって傷つけることはない。上側カッティング・ブレード（１５）を製造用の固定装置に取付けるのを助けるため、取付け用の孔（４４）を設けてもよい。
【００２１】
図１３において、使い捨てカッティング・ヘッド（１）に大きな梳き櫛（３１）が取付けられている。ヘッド集合体のコンパクトな形状及び前後の幅もしくは横の寸法をもっと標準的なクリッパーのヘッド及びブレードに近づけ、標準的な梳き櫛付属品を取付けうるようにする。比較的平坦な梳き櫛付属品を希望する場合、代表的なプラスチックの梳き櫛（３１）に比べて構造的に強い金属などの材料を使用してもよい。図１４は、切込み溝（３４）及びスプリング・クリップ（３５）をもち梳き歯（３３）の付いた薄い梳き櫛（３２）の例を示す。切込み溝（３４）は使い捨てカッティング・ヘッド（１）の前縁（３６）を受け、スプリング・クリップ（３５）は該ヘッド（１）の後縁を受けて、薄い梳き櫛（３２）と係合しこれを保持する。プラスチック梳き櫛（３１）又は薄い梳き櫛（３２）のどちらかに、梳き櫛（３１，３２）を取付けるとき、ベース部材（２）の支持前縁（３７）がその下に配置される１個以上の取付けタブ（７６）を設けてもよい。上記支持前縁（３７）に、該取付けタブ（７６）とかみ合う取付けノッチ（切欠）（７５）を設けてもよい。梳き歯（３３）は、歯の前縁（７７）に取付けられた歯先素子（ｔｏｏｔｈ　ｒｉｄｇｅ　ｅｌｅｍｅｎｔ）（７８）を含んでもよい。これにより、製造時の成形過程で経験される梳き歯（３３）の前縁における平坦化を減らせる。上記歯先素子（７８）は、カットされる毛を梳き歯（３３）の間に導くのを助ける。
梳き櫛（３１）、梳き素子（３２）及び梳き歯（３３）は、例えば、テフロンの商品名で売られているもの、ラッカー・コーティングなどのコーティングをされた真空蒸着アルミニウム、及び密封材のような低摩擦物質でコーティングしてもよい。梳き櫛（３１）、梳き素子（３２）及び梳き歯（３３）は、プラスチック梳き櫛に比べて強度を増すために、金属で作るか又はプラスチックにシリカ添加物を加えてもよい。
【００２２】
この弾力付属品の種々の例を図１５〜１８に示す。図１５において、上記スプリング・クリップ（３５）がバック・プレート（５１）に置き換えられ、側方要素（６５）が加えられている。これは、プラスチック又はこれと類似の材料より成る薄い梳き歯を望む場合の梳き櫛素子（３２）の構造を示す。梳き櫛素子（３２）を取付けるときに間隔が必要な場合、リベットくぼみ（６６）を設けてもよい。バック・プレート（５１）はスロット（５２）を含んでおり、その中にプレート（５３）の延長部（５６）が突出する。プレート（５３）は、スプリング・キャビティ（４９）内に配置されたスプリング（５０）と係合するスプリング・タブ（４３）を有する。バック・プレート（５１）は、延長部（５６）をスロット（５２）内に挿入しやすくするために、スロット（５２）の上の部分（６８）にテーパーを付けてもよい。プレート（５３）は、穴（６０）及びスライド孔（６２）を通るリベット（６１）、ネジなどにより、ベース部材（２）に取付けられる。プレート（５３）をスプリング（５０）の力に抗して押すと、押しタブ（４２）にかかる圧力がスプリング（５０）を圧縮する。そうすると、延長部（５６）が動いて梳き櫛素子（３２）をカッティング・ヘッド（１）から取外したり、又はこれに取付けたりすることができる。このようにして取付けられると、切込み溝（３４）はカッティングする歯の前縁（３６）に係合し、プレート（５３）から手を放すと、延長部（５６）がスロット（５２）に係合する。図１６及び１９に示すように、押しタブ（４２）を押すのを助けるためにポスト（６４）の付いた道具（６３）を設けてもよい。このポスト（６４）の付いた道具（６３）はまた、ネジ（４８）の張力を調整するのに使用するブレード又は６角（ｈｅｘ）ヘッドをもつことができる。
この道具（６３）の他の構成を図１９Ａに示す。ポスト（６４）の先端が丸められ、ブレード又は６角ヘッド（６７）がポスト（６４）の反対側に配置される。
【００２３】
ベース部材（２）は、ユーザが動物の脚の関節などのような狭い場所のカッティングをするとき、クリッパーを廻しやすくするためにそのコーナー（５４）をもっと大げさに丸めてもよい。
【００２４】
ベース部材（２）はまた、取付けラグ（７）の内側及び取付けキャビティ（５７）の中に突起（５８）を含んでもよい。これらの突起は、圧縮可能なものである。カッティング・ヘッド（１）をクリッパー（６）に取付けるとき、取付けキャビティ（５７）にタング（ｔｏｎｇｕｅ）が挿入される。種々のクリッパー（６）のクリッパー・タングは、必ずしも同じ寸法とは限らない。突起（５８）は、色々なサイズのタングと適合し、そうでないとぴったり合わないために生じる振動を抑えるものである。取付けラグ（７）上の突起（５８）も、カッティング・ヘッド（１）をクリッパー（６）に取付けるとき、同様な目的に役立つ。
【００２５】
ベース部材（２）及び下側カッティング・ブレード（９）は、これらが一体となったベース・カッティング・ブレード（８０）で置き換えてもよい。この実施形態では、直立する中央ブリッジ（５）及び他の要素は、ベース・カッティング・ブレード（８０）に取付けられ支持される。スプリング・クリップ（２３）がベース・カッティング・ブレード（８０）の上に取付けられ、スプリング及び他の要素をもつプレート（５３）は、スロット（５２）と係合するスプリング延長部をもつ板ばね（８１）で置き換えてもよい。
【００２６】
以上、本発明の好適な実施形態を詳細に説明したが、当業者には、本発明の精神及び範囲を逸脱することなくこれを種々改変しうることが理解されるであろう。
【図面の簡単な説明】
図１は、ブレードが付いたヘッド集合体及びクリッパーの概略を示す斜視図である。
図２は、ヘッド集合体及びブレードの分解斜視図である。
図３は、ヘッド集合体及びブレードの他の実施形態の分解斜視図である。
図３Ａは、デフレクタ・プレートが付いたヘッド集合体の他の実施形態の斜視図である。
図４は、上側カッティング・ブレードの底面図である。
図４Ａは、上側カッティング・ブレードの他の実施形態を示す底面図である。
図５は、上側カッティング・ブレードの立面図である。
図５Ａは、上側カッティング・ブレードの他の実施形態の立面図である。
図６は、上側カッティング・ブレードの上面図である。
図６Ａは、シュー・ラグが付いた上側カッティング・ブレードの上面図である。
図７は、図６に示す上側カッティング・ブレードの断面図である。
図８は、下側カッティング・ブレードの底面図である。
図９は、下側カッティング・ブレードの立面図である。
図１０は、下側カッティング・ブレードの上面図である。
図１１は、図１０に示す下側カッティング・ブレードの断面図である。
図１２は、ブレードが付いたヘッド集合体の側断面図である。
図１２Ａは、ブレード付きヘッド集合体及びデフレクタ・プレート付きスプリング部材の側断面図である。
図１３は、ブレード付きヘッド集合体及び取付けられた大きな梳き櫛の概略を示す斜視図である。
図１４は、変形された梳き櫛取付け装置に着脱可能なブレード付きヘッド集合体の斜視図である。
図１５は、他の梳き櫛取付け装置に着脱可能なブレード付きヘッド集合体の斜視図である。
図１６は、梳き櫛素子を取付けるための、カッティング・ヘッド集合体の他の実施形態を示す分解斜視図である。
図１７は、ブレード付きヘッド集合体及びスプリング取付け装置の他の実施形態を示す側断面図である。
図１８は、スプリング取付け装置が付いた他のカッティング・ヘッドの底面図である。
図１９は、スプリング取付け装置と共に使用する道具の斜視図である。
図１９Ａは、道具の他の例を示す斜視図である。
図２０は、ベース・カッティング・ブレードが付いたヘッド集合体の他の実施形態を示す側断面図である。
図２１は、ベース・カッティング・ブレードの上面図である。
図２２は、ベース・カッティング・ブレードの他の実施形態を示す上面図である。
図２３は、ベース・カッティング・ブレード付きヘッド集合体の他の実施形態を示す側断面図である。
図２４は、梳き素子とタブ及びノッチの付いたベース部材とを示す斜視図である。
図２４Ａは、梳き素子の歯の側断面図である。
図２５は、テーパーが付いた梳き素子の斜視図である。
図２６は、テーパーが付いた梳き素子の部分的側断面図である。
図２７は、１つの梳き歯を示す斜視図である。
【国際公開パンフレット】
2004501695.tif 000003
2004501695.tif 000004
2004501695.tif 000005
2004501695.tif 000006
2004501695.tif 000007
2004501695.tif 000008
2004501695.tif 000009
2004501695.tif 000010
2004501695.tif 000011
2004501695.tif 000012
2004501695.tif 000013
2004501695.tif 000014
2004501695.tif 000015
2004501695.tif 000016
2004501695.tif 000017
2004501695.tif 000018
2004501695.tif 000019
2004501695.tif 000020
2004501695.tif 000021
2004501695.tif 000022
2004501695.tif 000023
2004501695.tif 000024
2004501695.tif 000025
2004501695.tif 000026
2004501695.tif 000027
2004501695.tif 000028
【国際調査報告】
2004501695.tif 000029